【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
少なくとも１つの機器が接続され、前記機器の駆動を制御するデータ及び前記機器の状態を示すデータの各々が記憶される第１記憶部を備えた第１制御部と、
中央処理装置のバスに接続される第２制御部と、
前記第1制御部と前記第２制御部とを接続する全二重方式のシリアルバスと、
を有し、
前記第２制御部は、
前記第１記憶部に記憶されるデータが複写される第２記憶部を備え、
中央処理装置から読出要求を受けたときに、前記第２記憶部に複写されたデータを読出し、前記中央処理装置に供給することを特徴とする制御装置。
【請求項２】
前記中央処理装置の動作の基準となるシステムタイマのカウント周期以下の周期で、前記第１記憶部に記憶された各データが読出されて送信され前記第２記憶部に書込まれるように動作する
請求項１に記載の制御装置。
【請求項３】
前記第１記憶部に記憶され先頭アドレスから順に読出した同じサイズの各データから、各データの書込先のアドレスを指定せずに複数のパケットを生成して送信する読出送信手段と、
前記第２記憶部の先頭アドレスから前記複数のパケットの送信順にデータを書込む書込手段と、を備えた
請求項２に記載の制御装置。
【請求項４】
前記第1制御部は、
更に割込が発生したときの割込要因のデータが記憶される前記第１記憶部と、
更に前記割込が発生したときに割込用のパケットを生成して前記第２制御部に送信する読出送信手段と、を備え、
前記第２制御部は、
前記第２記憶部に対する書込の開始及び終了を検出する検出手段と、
前記割込用のパケットを受信した後に前記検出手段により前記書込の開始及び終了が検出された場合に、前記中央処理装置に割込を通知する通知手段と、を備えた
請求項２に記載の制御装置。
【請求項５】
前記第1制御部は、
前記読出送信手段の読出処理に用いられ、前記第１記憶部からデータを読み出すときの読出元のアドレスをカウントする第１アドレスカウンタと、
前記第１記憶部からの全データの読出が終了してから次の周期の先頭データの読出が開始されるまでの期間内の何れかのタイミング、及びエラーが発生したタイミングの少なくとも一方において、前記第１アドレスカウンタのカウント値が、前記第１記憶部の先頭アドレスを示すカウント値となるように初期化する第１初期化手段と、を更に備え、
前記第２制御部は、
前記書込手段の書込処理に用いられ、前記第１記憶部から読出されたデータを前記第２記憶部に書込むときの書込先のアドレスをカウントする第２アドレスカウンタと、  
前記第１記憶部から前記第２記憶部への全データの書込が終了してから次の周期の先頭データの書込が開始されるまでの期間内の何れかのタイミング、及びエラーが発生したタイミングの少なくとも一方において、前記第２アドレスカウンタのカウント値が、前記第２記憶部の先頭アドレスを示すカウント値となるように初期化する第２初期化手段とを更に備えた、
請求項３記載の制御装置。
【請求項６】
前記中央処理装置の読出命令に応じて、前記第１記憶部に記憶されているデータを読出す第１の読出処理と、前記第２記憶部に記憶されているデータを読出す第２の読出処理とを選択可能にした
請求項１〜請求項5の何れか１項記載の制御装置。
【請求項７】
前記中央処理装置の書込命令に応じて、前記機器の駆動を制御するデータの書込を前記第１記憶部に対して行なう第１の書込処理と、前記書込を前記第１記憶部及び前記第２記憶部の双方に対して行なう第２の書込処理とを選択可能にした
請求項１〜請求項６の何れか１項記載の制御装置。
【請求項８】
請求項１〜請求項７の何れか１項記載の制御装置と、
前記第１制御部に接続され、画像形成を行なうための少なくとも１つの機器と、
を備えた画像形成装置。
【請求項９】
少なくとも１つの機器が接続され、前記機器の駆動を制御するデータ及び前記機器の状態を示すデータの各々が記憶される第１記憶部を備えた第１制御部であって、
中央処理装置のバスに接続されるとともに、前記第１記憶部に記憶されるデータが複写される第２記憶部を備え、中央処理装置から読出要求を受けたときに、前記第２記憶部に複写されたデータを読出し、前記中央処理装置に供給する第２制御部に、全二重方式のシリアルバスを介して、接続することを特徴とする第１制御部。
【請求項１０】
少なくとも１つの機器が接続され、前記機器の駆動を制御するデータ及び前記機器の状態を示すデータの各々が記憶される第１記憶部を備えた第１制御部に、全二重方式のシリアルバスを介して、接続する第２制御部であって、
前記第１記憶部に記憶されるデータが複写される第２記憶部を備え、
中央処理装置から読出要求を受けたときに、前記第２記憶部に複写されたデータを読出し、前記中央処理装置に供給することを特徴とする第２制御部。
【手続補正２】
【補正対象書類名】明細書
【補正対象項目名】発明の名称
【補正方法】変更
【補正の内容】
【発明の名称】制御装置、第１制御部、第２制御部、及び画像形成装置
【手続補正３】
【補正対象書類名】明細書
【補正対象項目名】０００１
【補正方法】変更
【補正の内容】
【０００１】
本発明は、制御装置、第１制御部、第２制御部、及び画像形成装置に関する。
【手続補正４】
【補正対象書類名】明細書
【補正対象項目名】０００５
【補正方法】変更
【補正の内容】
【０００５】
本発明は、ＣＰＵのバスに接続される第２制御部と、各種機器が接続された第１制御部とを伝送路を介して接続して各機器を制御する場合において、必要以上に高速な伝送路を用いなくても従来と同等の性能を確保できる制御装置、第１制御部、第２制御部、及び画像形成装置を得ることを目的とする。
【手続補正５】
【補正対象書類名】明細書
【補正対象項目名】０００６
【補正方法】変更
【補正の内容】
【０００６】
請求項１の発明は、少なくとも１つの機器が接続され、前記機器の駆動を制御するデータ及び前記機器の状態を示すデータの各々が記憶される第１記憶部を備えた第１制御部と、中央処理装置のバスに接続される第２制御部と、 前記第1制御部と前記第２制御部とを接続する全二重方式のシリアルバスと、  を有し、  前記第２制御部は、前記第１記憶部に記憶されるデータが複写される第２記憶部を備え、中央処理装置から読出要求を受けたときに、前記第２記憶部に複写されたデータを読出し、前記中央処理装置に供給することを特徴とする制御装置である。
【手続補正６】
【補正対象書類名】明細書
【補正対象項目名】０００７
【補正方法】変更
【補正の内容】
【０００７】
請求項２の発明は、請求項１に記載の制御装置において、前記中央処理装置の動作の基準となるシステムタイマのカウント周期以下の周期で、前記第１記憶部に記憶された各データが読出されて送信され前記第２記憶部に書込まれるように動作する。
【手続補正７】
【補正対象書類名】明細書
【補正対象項目名】０００８
【補正方法】変更
【補正の内容】
【０００８】
請求項３の発明は、請求項２に記載の制御装置において、前記第１記憶部に記憶され先頭アドレスから順に読出した同じサイズの各データから、各データの書込先のアドレスを指定せずに複数のパケットを生成して送信する読出送信手段と、  前記第２記憶部の先頭アドレスから前記複数のパケットの送信順にデータを書込む書込手段と、を更に備えている。
【手続補正８】
【補正対象書類名】明細書
【補正対象項目名】０００９
【補正方法】変更
【補正の内容】
【０００９】
請求項４の発明は、請求項２に記載の制御装置において、前記第1制御部は、更に割込が発生したときの割込要因のデータが記憶される前記第１記憶部と、  更に前記割込が発生したときに割込用のパケットを生成して前記第２制御部に送信する読出送信手段と、を備え、  前記第２制御部は、前記第２記憶部に対する書込の開始及び終了を検出する検出手段と、前記割込用のパケットを受信した後に前記検出手段により前記書込の開始及び終了が検出された場合に、前記中央処理装置に割込を通知する通知手段と、を更に備えている。
【手続補正９】
【補正対象書類名】明細書
【補正対象項目名】００１０
【補正方法】変更
【補正の内容】
【００１０】
請求項５の発明は、請求項３に記載の制御装置において、前記第1制御部は、前記読出送信手段の読出処理に用いられ、前記第１記憶部からデータを読み出すときの読出元のアドレスをカウントする第１アドレスカウンタと、前記第１記憶部からの全データの読出が終了してから次の周期の先頭データの読出が開始されるまでの期間内の何れかのタイミング、及びエラーが発生したタイミングの少なくとも一方において、前記第１アドレスカウンタのカウント値が、前記第１記憶部の先頭アドレスを示すカウント値となるように初期化する第１初期化手段と、を更に備え、前記第２制御部は、前記書込手段の書込処理に用いられ、前記第１記憶部から読出されたデータを前記第２記憶部に書込むときの書込先のアドレスをカウントする第２アドレスカウンタと、  前記第１記憶部から前記第２記憶部への全データの書込が終了してから次の周期の先頭データの書込が開始されるまでの期間内の何れかのタイミング、及びエラーが発生したタイミングの少なくとも一方において、前記第２アドレスカウンタのカウント値が、前記第２記憶部の先頭アドレスを示すカウント値となるように初期化する第２初期化手段とを更に備えている。
【手続補正１０】
【補正対象書類名】明細書
【補正対象項目名】００１１
【補正方法】変更
【補正の内容】
【００１１】
請求項６の発明は、請求項１〜請求項５の何れか１項記載の制御装置において、前記中央処理装置の読出命令に応じて、前記第１記憶部に記憶されているデータを読出す第１の読出処理と、前記第２記憶部に記憶されているデータを読出す第２の読出処理とを選択可能にしたものである。
【手続補正１１】
【補正対象書類名】明細書
【補正対象項目名】００１２
【補正方法】変更
【補正の内容】
【００１２】
請求項７の発明は、請求項１〜請求項６の何れか１項記載の制御装置において、  前記中央処理装置の書込命令に応じて、前記機器の駆動を制御するデータの書込を前記第１記憶部に対して行なう第１の書込処理と、前記書込を前記第１記憶部及び前記第２記憶部の双方に対して行なう第２の書込処理とを選択可能にしたものである。
請求項８の発明は、請求項１〜請求項７の何れか１項記載の制御装置と、前記第１制御部に接続され、画像形成を行なうための少なくとも１つの機器と、を備えた画像形成装置である。
請求項９の発明は、少なくとも１つの機器が接続され、前記機器の駆動を制御するデータ及び前記機器の状態を示すデータの各々が記憶される第１記憶部を備えた第１制御部であって、中央処理装置のバスに接続されるとともに、前記第１記憶部に記憶されるデータが複写される第２記憶部を備え、中央処理装置から読出要求を受けたときに、前記第２記憶部に複写されたデータを読出し、前記中央処理装置に供給する第２制御部に、全二重方式のシリアルバスを介して、接続することを特徴とする第１制御部である。
請求項１０の発明は、少なくとも１つの機器が接続され、前記機器の駆動を制御するデータ及び前記機器の状態を示すデータの各々が記憶される第１記憶部を備えた第１制御部に、全二重方式のシリアルバスを介して、接続する第２制御部であって、
前記第１記憶部に記憶されるデータが複写される第２記憶部を備え、
中央処理装置から読出要求を受けたときに、前記第２記憶部に複写されたデータを読出し、前記中央処理装置に供給することを特徴とする第２制御部である。
【手続補正１２】
【補正対象書類名】明細書
【補正対象項目名】００１３
【補正方法】変更
【補正の内容】
【００１３】
請求項１に記載の発明によれば、必要以上に高速な伝送路を用いなくても従来と同等の性能を確保できる。
【手続補正１３】
【補正対象書類名】明細書
【補正対象項目名】００１４
【補正方法】変更
【補正の内容】
【００１４】
請求項２に記載の発明によれば、必要以上に高速な伝送路を用いなくても従来と同等の性能を確保できる。
【手続補正１４】
【補正対象書類名】明細書
【補正対象項目名】００１５
【補正方法】変更
【補正の内容】
【００１５】
請求項３に記載の発明によれば、アドレスを指定しない分、送信データ量が削減されると共に、第１記憶部のデータを第２記憶部に書込むためのパケットとは別のパケットを送信することも可能となる。
【手続補正１５】
【補正対象書類名】明細書
【補正対象項目名】００１６
【補正方法】変更
【補正の内容】
【００１６】
請求項４に記載の発明によれば、中央処理装置に割込が通知されてから、割込要因を読出しにいくまでのＣＰＵのアイドル時間を削減できる。
【手続補正１６】
【補正対象書類名】明細書
【補正対象項目名】００１７
【補正方法】変更
【補正の内容】
【００１７】
請求項５に記載の発明によれば、パケットにアドレスが指定されていなくても、第２記憶部の間違ったアドレスに第１記憶部のデータが複写されることを抑制できる。
【手続補正１７】
【補正対象書類名】明細書
【補正対象項目名】００１８
【補正方法】変更
【補正の内容】
【００１８】
請求項６に記載の発明によれば、中央処理装置によるデータの読出先を変更できる。
【手続補正１８】
【補正対象書類名】明細書
【補正対象項目名】００１９
【補正方法】変更
【補正の内容】
【００１９】
請求項７に記載の発明によれば、中央処理装置によるデータの書込先を変更できる。請求項８に記載の発明によれば、必要以上に高速な伝送路を用いなくても従来と同等の性能を確保できる。請求項９に記載の発明によれば、必要以上に高速な伝送路を用いなくても従来と同等の性能を確保できる。請求項１０に記載の発明によれば、必要以上に高速な伝送路を用いなくても従来と同等の性能を確保できる。